(57)【要約】【課題】情報コードの読取性能を低下させることなく落下耐性を向上し得る構成を提供する。【解決手段】情報コードＣを光学的に読み取る読取部４０は、読取部本体となる情報コード読取ユニット４１と、筐体１１に形成される開口１２を利用して情報コード読取ユニット４１を筐体１１に固定するホルダ５０とを有し、ホルダ５０は、開口１２を構成する内面のうちの上縁面１２ａ及び下縁面１２ｂに対して沿うように延出する複数の延出片５５，５６が当該開口１２内に入り込んだ状態で、開口１２を閉塞するようにして筐体１１に組み付けられる。【選択図】図３
2019191976.tif 000002
【特許請求の範囲】
【請求項１】
情報コードを光学的に読み取る読取部と、
開口が形成される筐体と、
を備える光学的情報読取装置であって、
前記読取部は、読取部本体と、前記開口を利用して前記読取部本体を前記筐体に固定するホルダとを有し、
前記ホルダは、前記開口を構成する内面に対して沿うように延出する複数の延出片が当該開口内に入り込んだ状態で、前記開口を閉塞するようにして前記筐体に組み付けられることを特徴とする光学的情報読取装置。
【請求項２】
前記開口は、前記筐体の短手方向が前記筐体の長手方向よりも長くなるように形成されることを特徴とする請求項１に記載の光学的情報読取装置。
【発明の詳細な説明】
【技術分野】
【０００１】
本発明は、光学的情報読取装置に関する。
【背景技術】
【０００２】
従来、情報コード（例えば、バーコードやＱＲコード（登録商標））などの光学的情報を光学的に読み取る光学的情報読取装置として、例えば、下記特許文献１に開示される携帯型の読取装置が知られている。この読取装置は、読取口部としての読取カバーが、装置本体の上・下フレームに一体的に固定される接続部位及び読取口を形成する開口部位を有し、この接続部位と開口部位とがそれぞれ硬度の高い樹脂材料及び柔軟性の高い樹脂材料による二重射出成形により一体に形成されている。この構成により、落下等の衝撃に対して装置本体への衝撃が緩和され、読取口周辺の損傷が防止されている。
【先行技術文献】
【特許文献】
【０００３】
【特許文献１】特開平０８−２２７４３６号公報
【発明の概要】
【発明が解決しようとする課題】
【０００４】
しかしながら、上述のように読取カバーを取り付ける構成では、装置自体が落下する際、その落下する角度によっては読取口近傍が変形してしまうおそれがある。また、読取カバーを取り付けることによって、読取口を介した撮像範囲が狭くなる場合があり、このような場合には情報コードが読み取り難くなる等の読取処理に関して支障が出るおそれがある。
【０００５】
本発明は、上述した課題を解決するためになされたものであり、その目的とするところは、情報コードの読取性能を低下させることなく落下耐性を向上し得る構成を提供することにある。
【課題を解決するための手段】
【０００６】
上記目的を達成するため、特許請求の範囲の請求項１に記載の発明は、
情報コード（Ｃ）を光学的に読み取る読取部（４０）と、
開口（１２）が形成される筐体（１１）と、
を備える光学的情報読取装置（１０）であって、
前記読取部は、読取部本体（４１）と、前記開口を利用して前記読取部本体を前記筐体に固定するホルダ（５０）とを有し、
前記ホルダは、前記開口を構成する内面（１２ａ，１２ｂ）に対して沿うように延出する複数の延出片（５５，５６）が当該開口内に入り込んだ状態で、前記開口を閉塞するようにして前記筐体に組み付けられることを特徴とする。
なお、上記各括弧内の符号は、後述する実施形態に記載の具体的手段との対応関係を示すものである。
【発明の効果】
【０００７】
請求項１の発明では、情報コードを光学的に読み取る読取部は、読取部本体と、筐体に形成される開口を利用して読取部本体を筐体に固定するホルダとを有し、ホルダは、開口を構成する内面に対して沿うように延出する複数の延出片が当該開口内に入り込んだ状態で、開口を閉塞するようにして筐体に組み付けられる。
【０００８】
これにより、読取部を筐体に固定するために筐体に開口が形成されるような構成であっても、ホルダの各延出片が開口の変形を内側から抑制するように機能するため、落下耐性が向上する。特に、読取部本体の少なくとも一部は、ホルダを利用して筐体の外側に固定されるため、情報コードが読み取り難くなることもない。したがって、情報コードの読取性能を低下させることなく落下耐性を向上させることができる。
【０００９】
請求項２の発明のように、筐体の短手方向が筐体の長手方向よりも長くなるように形成される開口であっても、ホルダの各延出片が開口の変形を内側から抑制するように機能するため、情報コードの読取性能を低下させることなく落下耐性を向上させることができる。
【図面の簡単な説明】
【００１０】
【図１】第１実施形態に係る光学的情報読取装置を示す斜視図である。
【図２】裏面側から見た読取部を拡大して示す説明図である。
【図３】筐体からホルダを取り外した状態を拡大して示す斜視図である。
【図４】図４（Ａ）は、図１の光学的情報読取装置の電気的構成を例示するブロック図であり、図４（Ｂ）は、図４（Ａ）の無線タグ処理ユニットの電気的構成を概略的に例示するブロック図であり、図４（Ｃ）は、図４（Ａ）の情報コード読取ユニットの電気的構成を概略的に例示するブロック図である。
【図５】図２の読取部のＸ１−Ｘ１断面を示す断面図である。
【図６】図２の読取部のＸ２−Ｘ２断面を示す断面図である。
【図７】図２の読取部のＸ３−Ｘ３断面を示す断面図である。
【発明を実施するための形態】
【００１１】
［第１実施形態］
以下、本発明の第１実施形態に係る光学的情報読取装置について、図面を参照して説明する。
本実施形態に係る光学的情報読取装置１０は、ユーザによって携帯されて様々な場所で用いられる携帯型の情報読取端末として構成されており、バーコードや二次元コードなどの情報コードを光学的に読み取る情報コードリーダとしての機能に加えて、アンテナを介して送受信される電波を媒介としてＲＦＩＤタグなどの無線タグに記憶されている情報を読み書きする機能を兼ね備え、読み取りを二方式で行いうる構成となっている。
【００１２】
図１〜図３に示すように、光学的情報読取装置１０は、略平板状に形成される筐体１１とホルダ５０とによって外郭が形成されており、筐体１１の表面１１ａには、複数のキー２５ａが配置される把持部側とは反対側となる位置に狭額縁化（狭ベゼル化）されるように大型化された表示画面２４ａが配置されている。
【００１３】
図３に示すように、筐体１１の裏面１１ｂには、把持部側とは反対側となる位置に開口１２が形成されており、この開口１２を閉塞するようにホルダ５０が固定されている。このホルダ５０には、情報コードからの反射光を取り込む読取窓５１が設けられており、読取窓５１が裏面１１ｂに対して外方に突出するように配置されている。
【００１４】
次に、光学的情報読取装置１０の電気的構成について説明する。
図４（Ａ）に示すように、光学的情報読取装置１０の筐体１１内には、光学的情報読取装置１０全体を制御する制御部２１が設けられている。この制御部２１は、マイコンを主体として構成されるものであり、ＣＰＵ、システムバス、入出力インタフェース等を有し、記憶部２２とともに情報処理装置を構成している。記憶部２２には、情報コードを光学的に読み取る読取処理を実行するための所定のプログラム等が制御部２１により実行可能に予め格納されている。
【００１５】
また、制御部２１には、ＬＥＤ２３、タッチパネル２４、操作部２５、バイブレータ２６、ブザー２７、通信部２８などが接続されている。タッチパネル２４は、公知のタッチパネル型の表示装置として構成されており、液晶表示器等の公知の表示デバイスとして構成される表示部と、この表示部の表示画面２４ａに重ねられて当該表示画面２４ａに対して押圧操作（接触）している範囲を検出可能な検出部として機能する透明性の操作パネルとを備えている。このタッチパネル２４は、制御部２１によって表示部の表示内容が制御される。操作部２５は、上記操作パネルと把持部に設けられる複数のキー２５ａとを備えるように構成されることで、タッチパネル２４の表示画面２４ａに対する押圧操作（タッチ範囲等）やキー操作に応じた信号を制御部２１に出力するように構成される。また、ＬＥＤ２３、バイブレータ２６及びブザー２７は、制御部２１によって制御される構成をなしており、それぞれ、制御部２１からの指令を受けて動作する。通信部２８は、サーバ等の外部機器との間でネットワーク等を介してデータ通信を行うためのインタフェースとして構成されており、制御部２１と協働して通信処理を行う構成をなしている。また、筐体１１内には、電源部２９が設けられており、この電源部２９や電池２９ａによって制御部２１や各種電気部品に電力が供給されるようになっている。
【００１６】
また、光学的情報読取装置１０は、制御部２１により制御されて外部の情報を読み取り可能な情報読取部として機能する無線タグ処理ユニット３０及び情報コード読取ユニット４１を備えている。
【００１７】
まず、無線タグ処理ユニット３０について、図４（Ｂ）を用いて説明する。
無線タグ処理ユニット３０は、アンテナ３４及び制御部２１と協働して無線タグＴとの間で電磁波による通信を行ない、無線タグＴに記憶されるデータの読取り、或いは無線タグＴに対するデータの書込みを行なうように機能するものである。この無線タグ処理ユニット３０は、公知の電波方式で伝送を行う回路として構成されており、図４（Ｂ）にて概略的に示すように、送信回路３１、受信回路３２、整合回路３３などを有している。
【００１８】
送信回路３１は、キャリア発振器、符号化部、増幅器、送信部フィルタ、変調部などによって構成されており、キャリア発振器から所定の周波数のキャリア（搬送波）が出力される構成をなしている。また、符号化部は、制御部２１に接続されており、当該制御部２１より出力される送信データを符号化して変調部に出力している。変調部は、キャリア発振器からのキャリア（搬送波）、及び符号化部からの送信データが入力される部分であり、キャリア発振器より出力されるキャリア（搬送波）に対し、通信対象へのコマンド送信時に符号化部より出力される符号化された送信符号（変調信号）によってＡＳＫ（Amplitude Shift Keying）変調された被変調信号を生成し、増幅器に出力している。増幅器は、入力信号（変調部によって変調された被変調信号）を所定のゲインで増幅し、その増幅信号を送信部フィルタに出力しており、送信部フィルタは、増幅器からの増幅信号をフィルタリングした送信信号を、整合回路３３を介してアンテナ３４に出力している。このようにしてアンテナ３４に送信信号が出力されると、その送信信号が送信電波として当該アンテナ３４より外部に放射される。
【００１９】
一方、アンテナ３４によって受信された応答信号は、整合回路３３を介して受信回路３２に入力される。この受信回路３２は、受信部フィルタ、増幅器、復調部、二値化処理部、複号化部などによって構成されており、アンテナ３４を介して受信された応答信号を受信部フィルタによってフィルタリングした後、増幅器によって増幅し、その増幅信号を復調部によって復調する。そして、その復調された信号波形を二値化処理部によって二値化し、復号化部にて復号化した後、その復号化された信号を受信データとして制御部２１に出力している。
【００２０】
次に、情報コード読取ユニット４１について、図４（Ｃ）を用いて説明する。
情報コード読取ユニット４１は、情報コードＣを光学的に読み取るように機能するもので、ホルダ５０により支持されて、筐体１１の開口１２内に入り込むように配置されている。なお、情報コード読取ユニット４１は、「読取部本体」の一例に相当し、この情報コード読取ユニット４１とホルダ５０とを備えるように読取部４０が構成される。
【００２１】
情報コード読取ユニット４１は、図４（Ｃ）に示すように、ＣＣＤエリアセンサからなる受光センサ４４、結像レンズ４３、複数個のＬＥＤやレンズ等から構成される照明部４２などを備えた構成をなしており、制御部２１と協働して読取対象Ｒに付された情報コードＣ（バーコードや二次元コード）を読み取るように機能する。
【００２２】
この情報コード読取ユニット４１によって読み取りを行う場合、まず、制御部２１によって指令を受けた照明部４２から照明光Ｌｆが出射され、この照明光Ｌｆが読取窓５１を通って読取対象Ｒに照射される。そして、照明光Ｌｆが情報コードＣにて反射した反射光Ｌｒは読取窓５１を通って装置内に取り込まれ、結像レンズ４３を通って受光センサ４４に受光される。読取窓５１と受光センサ４４との間に配される結像レンズ４３は、情報コードＣの像を受光センサ４４上に結像させる構成をなしており、受光センサ４４はこの情報コードＣの像に応じた受光信号を出力する。受光センサ４４から出力された受光信号は、画像データとして記憶部２２（図４（Ａ））に記憶され、情報コードＣに含まれる情報を取得するためのデコード処理に用いられるようになっている。なお、情報コード読取ユニット４１には、受光センサ４４からの信号を増幅する増幅回路や、その増幅された信号をデジタル信号に変換するＡＤ変換回路等が設けられているがこれらの回路については図示を省略している。
【００２３】
次に、ホルダ５０及び筐体１１の組み付け構造について、図面を参照して詳述する。
図３に示すように、ホルダ５０が組み付けられる筐体１１の開口１２は、筐体１１の短手方向が筐体１１の長手方向よりも長くなるように略長方形状に形成されている。この開口１２内には、図３及び図５に示すように、ホルダ５０を組み付ける際にホルダ５０の両側面にそれぞれ形成される段部５２を案内する一対のガイド１３が設けられており、両ガイド１３よりも外側にて一対のねじ止め用の台座１４が配置されている。
【００２４】
図３及び図６に示すように、ホルダ５０には、読取窓５１が形成される読取側（外部側）とは反対側となる内部側に、情報コード読取ユニット４１を固定するための固定部５３が設けられている。情報コード読取ユニット４１は、固定部５３の上壁に対して２つのねじ６１にて締結された状態で、ホルダ５０に対して固定される。また、ホルダ５０の読取側には、左右一対のねじ締結用の挿通部５４が読取窓５１を介すように設けられている。
【００２５】
ホルダ５０の内部側には、開口１２内に入り込む複数の延出片の一部として、延出片５５，５６が設けられている。延出片５５は、図３及び図７に示すように、固定部５３の上方から延出し、先端部５５ａと基部５５ｂにて、開口１２の上縁面１２ａに沿うように形成されている。この延出片５５は、筐体１１への組み付け時に、先端部５５ａ及び基部５５ｂと上縁面１２ａとの間に僅かな隙間が介在するように形成されている。また、延出片５６は、図５に示すように、固定部５３の下方から延出し、開口１２の下縁面１２ｂに沿うように形成されている。この延出片５６は、筐体１１への組み付け時に、下縁面１２ｂとの間に僅かな隙間が介在するように形成されている。
【００２６】
このように構成されるホルダ５０は、ねじ６１等を利用して情報コード読取ユニット４１が固定部５３に固定された後、両段部５２が一対のガイド１３にて案内され、各延出片５５，５６が開口１２内に入り込むようにして込んだ状態で、挿通部５４を介してねじ６２を台座１４に締結することで、開口１２を閉塞するように筐体１１に組み付けられる。
【００２７】
この組み付け状態では、ホルダ５０は、上縁面１２ａに対して僅かな隙間を介して先端部５５ａ及び基部５５ｂにて沿うように延出片５５が開口１２内に入り込み、下縁面１２ｂに対して僅かな隙間を介して沿うように延出片５６が開口１２内に入り込んでいる。このため、落下等の外力が開口１２に作用する場合でも、変形しようとする開口１２の内縁面が延出片５５及び延出片５６に当たってそれ以上の変形が抑制される。
【００２８】
以上説明したように、本実施形態に係る光学的情報読取装置１０では、情報コードＣを光学的に読み取る読取部４０は、読取部本体となる情報コード読取ユニット４１と、筐体１１に形成される開口１２を利用して情報コード読取ユニット４１を筐体１１に固定するホルダ５０とを有し、ホルダ５０は、開口１２を構成する内面のうちの上縁面１２ａ及び下縁面１２ｂに対して沿うように延出する複数の延出片５５，５６が当該開口１２内に入り込んだ状態で、開口１２を閉塞するようにして筐体１１に組み付けられる。
【００２９】
これにより、読取部４０を筐体１１に固定するために筐体１１に開口１２が形成されるような構成であっても、ホルダ５０の各延出片５５，５６が開口１２の変形を内側から抑制するように機能するため、落下耐性が向上する。特に、情報コード読取ユニット４１の少なくとも一部は、ホルダ５０を利用して筐体１１の外側に固定されるため、情報コードＣが読み取り難くなることもない。したがって、情報コードＣの読取性能を低下させることなく落下耐性を向上させることができる。
【００３０】
なお、本発明は上記実施形態等に限定されるものではなく、例えば、以下のように具体化してもよい。
（１）筐体１１に形成される開口１２は、筐体１１の短手方向が筐体１１の長手方向よりも長くなるように略長方形状に形成されることに限らず、例えば、筐体１１の長手方向が筐体１１の短手方向よりも長くなるように略長方形状に形成されてもよいし、正方形状や円形状、楕円形状に形成されてもよい。このように形成される開口であっても、開口内に入り込むホルダ５０の各延出片が開口の変形を内側から抑制するように機能することで、情報コードＣの読取性能を低下させることなく落下耐性を向上させることができる。
【００３１】
（２）ホルダ５０は、２つの延出片５５，５６が開口１２内に入り込むように形成されることに限らず、３つ以上の延出片が開口１２内に入り込むように形成されてもよい。具体的には、例えば、ホルダ５０は、２つの延出片５５，５６に加えて、左右一対の延出片が開口１２の左縁面と右縁面とに沿って開口１２内に入り込むように形成されてもよい。
【００３２】
（３）ホルダ５０は、開口１２内に入り込む延出片が、僅かな隙間を介して開口１２の内面に沿うように形成されることに限らず、開口１２の内面に面接触して係合するように形成されてもよい。
【００３３】
（４）本発明に係るホルダ５０等を利用した組み付け構造は、上述した情報コードリーダ及び無線タグリーダライタの双方の機能を兼備する携帯型の光学的情報読取装置１０に採用されることに限らず、例えば、情報コードリーダ専用の読取装置に採用されてもよいし、さらに他の機能を有する読取装置や据え置き型の読取装置等に採用されてもよい。
【符号の説明】
【００３４】
１０…光学的情報読取装置
１１…筐体
１２…開口
１２ａ…上縁面（内面）
１２ｂ…下縁面（内面）
４０…読取部
４１…情報コード読取ユニット（読取部本体）
５０…ホルダ
５１…読取窓
５５，５６…延出片
Ｃ…情報コード
【図１】
2019191976.tif 000003
【図２】
2019191976.tif 000004
【図３】
2019191976.tif 000005
【図４】
2019191976.tif 000006
【図５】
2019191976.tif 000007
【図６】
2019191976.tif 000008
【図７】
2019191976.tif 000009